(57)【要約】【課題】簡単な構造によりアースを形成するとともに、ＰＷＭインバータ駆動させたモールドモータに生じる軸受の異常磨耗を防止することができるモールドモータを提供することを目的としている。【解決手段】固定子鉄心端面の一部に露出部３が形成されるように前記固定子鉄心外周を覆う樹脂部２０を有し、樹脂部２０に前記固定子鉄心外周部と同心円上に形成した圧入勘合部２に金属ブラケット７の内周部を勘合させ、かつ圧入勘合部端面に形成した金属ブラケット当接面４に金属ブラケットの開口側端面を当接させるとともに、金属ブラケット７内部に設けた凸部２１と露出部３が圧接している構成を有している。【選択図】  図１
2004242413.tif 000002
【特許請求の範囲】
【請求項１】
固定子と、回転子と、前記回転子を回転自在に保持するための軸受の少なくとも一方を金属ブラケットで保持するモータにおいて、前記固定子は固定子鉄心端面の一部に露出部が形成されるように前記固定子鉄心外周を覆う樹脂部を有し、前記樹脂部に前記固定子鉄心外周部と同心円上に形成した圧入勘合部に前記金属ブラケットの外周部または内周部を勘合させ、かつ前記圧入勘合部端面に形成した金属ブラケット当接面に前記金属ブラケットの開口側端面を当接させるとともに、前記金属ブラケット内部に設けた凸部と前記露出部が圧接していることを特徴とするモールドモータ。
【請求項２】
ＰＷＭインバータ駆動されていることを特徴とする請求項１に記載のモールドモータ。
【請求項３】
金属ブラケットに取付足部を設けたことを特徴とする請求項１または請求項２に記載のモールドモータ。
【請求項４】
請求項３に記載のモールドモータの取付足部を介して搭載した空調機。
【発明の詳細な説明】
【０００１】
【発明の属する技術分野】
本発明は、空調機用ファンモータに関するものである。
【０００２】
【従来の技術】
従来の空調機用ファンモータにおいては、インダクションモータが採用されており、その構造は図６のように鉄心に巻線が実施された固定子６１を２つの金属ブラケット６２、６４により圧入挟み込む構造となっている。回転子６３は各ブラケットの内側に形成する軸受ハウジング６５にて保持することにより、回転自在となっていた。
【０００３】
しかし、このような構造のモータにおいては振動騒音が大きく、また、巻線からの熱の放散が巻線から空気層と金属ブラケットを介し、空気中になされているためその効率が悪く、ブラケット内で熱がこもり巻線温度上昇が高くなるという課題を有していた。
【０００４】
このような課題に対して、モールドモータを採用しているものが存在した。
【０００５】
当該モールドモータの構造は図７に示すようなものであり、固定子鉄心に巻線が実施された固定子を樹脂にて一体固化した固定子完成品７１と金属ブラケット７３により回転子７２を保持する構造となっている。固定子完成品と金属ブラケットの結合はブラケットを固定子完成品へ圧入固定することにより行なっている（例えば、特許文献１参照）。
【０００６】
なお、近年、同ファンモータにおいては省エネルギー化を狙い、高効率なブラシレスモータを採用する傾向にある。
【０００７】
【特許文献１】
特開平１１−１５５２４９号公報
【０００８】
【発明が解決しようとする課題】
しかしながら、上記従来のモールドモータ仕様においては、固定子鉄心が金属ブラケットに対し絶縁されているため、固定子鉄心のアースをモールドモータが取り付けられる製品のアース線を介して形成することができず、安全性確保のため、固定子鉄心と巻線間の絶縁を２重としたり、回転子軸と回転子鉄心間に絶縁層を設けたりして２重絶縁モータとする必要があり、コスト高となる場合があった。
【０００９】
さらに、従来構造のモールドモータにおいて、ＰＷＭ（Ｐｕｌｓｅ  Ｗｉｄ−ｔｈ  Ｍｏｄｕｌａｔｉｏｎ）インバータ駆動させた場合には、回転子に誘導される高周波電圧によると、想定されている軸受の異常磨耗が稀に発生していた。
【００１０】
本発明は、上記の課題を解決するものであり、空調機用ファン等を回転させるモールドモータにおいて、簡単な構造によりアースを形成するとともに、ＰＷＭインバータ駆動させたモールドモータに生じる軸受の異常磨耗を防止することができるモールドモータを提供することを目的としている。
【００１１】
【課題を解決するための手段】
本願発明は上記従来の課題に鑑みなされたものであり、固定子鉄心端面の一部に露出部が形成されるように前記固定子鉄心外周を覆う樹脂部を有し、前記樹脂部に前記固定子鉄心外周部と同心円上に形成した圧入勘合部に金属ブラケットの外周部または内周部を勘合させ、かつ前記圧入勘合部端面に形成した前記金属ブラケット当接面に金属ブラケットの開口側端面を当接させるとともに、前記金属ブラケット内部に設けた凸部と前記露出部が圧接している構成を有している。このように固定子鉄心端面の露出部に、金属ブラケット内部に設けた凸部が接触、変形することで、固定子鉄心と金属ブラケットの導通を確保することができる。
【００１２】
【発明の実施の形態】
本願の請求項１に記載の発明は、固定子と、回転子と、前記回転子を回転自在に保持するための軸受の少なくとも一方を金属ブラケットで保持するモータにおいて、前記固定子は固定子鉄心端面の一部に露出部が形成されるように前記固定子鉄心外周を覆う樹脂部を有し、前記樹脂部に前記固定子鉄心外周部と同心円上に形成した圧入勘合部に前記金属ブラケットの外周部または内周部を勘合させ、かつ前記圧入勘合部端面に形成した金属ブラケット当接面に前記金属ブラケットの開口側端面を当接させるとともに、前記金属ブラケット内部に設けた凸部と前記露出部が圧接していることを特徴とするモールドモータであり、固定子鉄心と金属ブラケットの導通を確保することが可能となり、固定子鉄心と金属ブラケットを同電位にすることができる。
【００１３】
請求項２に記載の発明は、ＰＷＭインバータ駆動されていることを特徴とする請求項１に記載のモールドモータであり、回転子電位が固定子鉄心、大地と同一の安定した固定電位となり、特にＰＷＭインバータ駆動されるモールドモータに発生する軸受の異常磨耗を防止することができる。
【００１４】
請求項３に記載の発明は、金属ブラケットに取付足部を設けたことを特徴とする請求項１または請求項２に記載のモールドモータであり、固定子鉄心と取付足部間の電気的導通を確保することができる。
【００１５】
請求項４に記載の発明は、請求項３に記載のモールドモータの取付足部を介して搭載した空調機であり、モールドモータが取り付けられる製品のアース線を介して形成することができる。
【００１６】
【実施例】
以下、本発明の実施例について、図面を用いて説明する。
【００１７】
（実施例１）
図１は、空調機用のファン駆動用等に用いられる本発明のモールドモータの分解斜視図であり、１はモールド樹脂により一体成型固化された固定子であり、成型時、樹脂に覆われないように固定子鉄心の端面の一部を露出させた露出部３と、固定子鉄心の外周を樹脂で覆った樹脂部２０を形成している。
【００１８】
樹脂部２０には圧入勘合部２が形成されており、圧入勘合部２に金属ブラケット７の内周部が勘合されている。
【００１９】
図２は金属ブラケット７をしめすものであり、内周部には凸部２１を固定子１と金属ブラケット７との固定用の固定穴部８近傍の内周部であって、露出部３に対向する位置に形成している。
【００２０】
金属ブラケット７は固定穴部８に挿入されたナット１０とネジ９により、金属ブラケット当接面４に金属ブラケット７の開口側端面を当接させることで、固定子１と一体的に固定されている。
【００２１】
凸部２１の軸方向寸法は、金属ブラケット当接面４に金属ブラケット７の開口側端面を当接前に、凸部２１が露出部３に当接するような所定の寸法としてあり、ナット１０とネジ９を金属ブラケット当接面４に金属ブラケット７の開口側端面を当接するまで締め付けることで、凸部２１を変形させている。
【００２２】
このように、凸部２１を変形させ露出部３と圧接させることで、固定子鉄心と金属ブラケット７の電気的導通を確保している。
【００２３】
また、固定穴部８に隣接して取付足部１１が設けられている。
【００２４】
５は軸受ボスであり、回転子６が回転中に軸受外輪も回転し異常となるのを防止するために固定子とともに一体成型により固定している。
【００２５】
図３は本モータの本体取付概略を示す図であり、例えば、本体側の金属製モータ取付部の取付部３１を介して取付足部１１の取付穴３２に挿入されるネジ３３で固定されている。当該構成により、金属ブラケット７の取付足部１１を介して固定子鉄心との導通を確保している。
【００２６】
なお、固定子１と金属ブラケット７との固定に際しては、図４および図５に示すような構成としてもよい。具体的には、固定子鉄心の外周部に凹部４３を設けるとともに、金属ブラケット４２にインロー部４４を設け凹部４３の内周部４５とインロー部４４の外周部４６を勘合させるとともに、固定子１の金属ブラケット当接面４に金属ブラケット４２を当接させている。その他構成については、上記実施例と同様であり、その説明は省略する。
【００２７】
【発明の効果】
上記説明から明らかなように、本願の請求項１に記載の発明によれば、金属ブラケットに設けた凸部を変形させ、固定子鉄心露出部に圧接した構成としているため、確実にモールドモータのアースを確保することができる。
【００２８】
また、請求項２に記載の発明によれば、ＰＷＭインバータ駆動によっても回転子電位が固定子鉄心と同一のアース電位となり安定固定するため、軸受異常の発生を防止することができる。
【００２９】
また、請求項３に記載の発明によれば、金属ブラケットに製品を取り付けるための取付足部を設けているため、固定子鉄心のアースを取付足部を介して形成することができる。
【００３０】
さらに、請求項４に記載の発明によれば、金属ブラケットに製品に取り付けるための取付足部を設けているため、固定子鉄心のアースをモールドモータが取り付けられる製品のアース線を介して形成することができる。
【図面の簡単な説明】
【図１】本発明のモールドモータを示す分解斜視図
【図２】本発明の金属ブラケットを示す図
【図３】本発明のモールドモータの本体取付状態を示す図
【図４】本発明の他のモールドモータを示す分解斜視図
【図５】本発明の他のモールドモータの固定子と金属ブラケットの断面図
【図６】従来の２つの金属ブラケットにより圧入挟み込む構造のモータの分解斜視図
【図７】従来のモールドモータを示す分解斜視図
【符号の説明】
１  固定子
２  圧入勘合部
３  露出部
４  金属ブラケット当接面
６  回転子
７  金属製ブラケット
１１  取付足部
２０  樹脂部
２１  凸部
【図１】
2004242413.tif 000003
【図２】
2004242413.tif 000004
【図３】
2004242413.tif 000005
【図４】
2004242413.tif 000006
【図５】
2004242413.tif 000007
【図６】
2004242413.tif 000008
【図７】
2004242413.tif 000009